(57)【特許請求の範囲】
【請求項１】
入力装置（１）と、データ受信用の無線受信機（４，５）と、データ処理用のプロセッサ（３）と、メモリ（２４）と、処理データ表示用のディスプレイ（７）とを有している、自動車内における無線信号を用いたデータ受信装置において、
入力装置（１）が入力手段（２，１０，１２）を有しており、エラーがあった場合には、前記入力手段の一回の操作によって装置が、メモリ（２４）内にファイルされている、データを再生するための状態、すなわち提供サービスのデータ受信の再度受入れ状態、サービスプロバイダの選択されたポータルへのリターン状態又は装置の新規スタートの状態に置換えられることを特徴とする装置。
【請求項２】
前記入力手段（２，１０，１２）は、装置におけるキー（２）で構成されるか、または遠隔操作手段（１２）として構成されている、請求項１記載の装置。
【請求項３】
前記入力手段は、マイクロフォン（１０）として構成されている、請求項１または２記載の装置。
【請求項４】
前記状態が、複数の選択手段の表示で表わされ、そのうちの１つが選択される、請求項１から３いずれか１項記載の装置。
【請求項５】
前記ポータルは、ユーザーによってファイル可能である、請求項４記載の装置。
【請求項６】
前記ポータルは、装置内にファイル可能である、請求項５記載の装置。
【請求項７】
新規スタートは、ソフトウエア上で実施可能である、請求項４から６いずれか１項記載の装置。
【請求項８】
新規スタートは、ハードウエア上で実施可能である、請求項４から７いずれか１項記載の装置。
【請求項９】
前記キー（２）は、操作時間の長さに応じて装置の様々な状態を引き起こす、請求項２から８いずれか１項記載の装置。
【発明の詳細な説明】
【０００１】
【発明の属する技術分野】
本発明は、入力装置と、データ受信用の無線受信機と、データ処理用のプロセッサと、メモリと、処理データ表示用のディスプレイとを有している、自動車内における無線信号を用いたデータ受信装置に関している。
【０００２】
【従来の技術】
カーラジオを自動車におけるデータ受信のための無線受信機として使用することは既に公知である。この場合はこのカーラジオは、メモリと、入力装置と、受信データ表示用のディスプレイを有している。
【０００３】
【発明が解決しようとする課題】
装置が操作不能な状態もしくはユーザーが迷い込みによって継続操作を続けることができなくなったような状態に陥った場合に、最も簡単な命令のみで再び装置の最適な利用が可能となるように改善を行うこと。
【０００４】
【課題を解決するための手段】
前記課題は本発明により、入力装置が入力手段を有しており、誤りがあった場合には、前記入力手段の一回の操作によって装置が、メモリ内にファイルされているデータを再生するための状態、すなわち提供サービスのデータ受信の再度受入れ状態、サービスプロバイダの選択されたポータルへのリターン状態又は装置の新規スタートの状態に置換えられるように構成されて解決される。
【０００５】
【発明の実施の形態】
請求項１の特徴部分に記載された本発明の自動車内における無線信号を用いたデータ受信装置によれば、従来のものに比べて次のような利点を有している。すなわち、エラーが発生した場合、もしくは外見上の打開策がつきたような状況におかれた場合に、ドライバが入力手段の一回の操作で、本発明による装置にファイルされている状態にリターンすることが可能なことである。その状態からドライバは当該装置を、再び最適に使用することができるようになる。自動車におけるドライバは、走行中は運転に忙殺されているため、そのような簡単な操作性には利点があり、データサービスがさらに向上しても本発明による装置の簡単な操作は引続きより高い安全性のもとで実施可能である。この操作は例えば、キープッシュまたはボイスコマンドによって行われる。そのような手段が求められる状況とは例えば、データサービスの食違い、データ受信時の障害に基づくサービスのフリーズ、あるいは選択したサービスに対して端末装置に互換性がなかった場合、ソフトウエアアプリケーションの欠陥によるフリーズ、オペレーションシステムの障害によるフリーズなどである。特にメモリアクセスの衝突のような問題がそのような状況に陥りやすい。本発明によれば、装置を再び利用できるようにするために、ドライバによる入力手段の簡単な操作によって例えば自身で選択可能なファイルされている状態にリターンすることが可能である。
【０００６】
本発明の別の有利な実施例および改善例は従属請求項に記載されている。
【０００７】
特に有利には、入力手段が装置におけるキーで構成されるか、遠隔操作手段として構成される。この場合、例えば赤外線伝送区間を介して本発明による装置まで入力データを伝送するために、遠隔操作手段をハンドルに固定してもよい。特にこの遠隔操作は、ドライバがその手をハンドルから離さなくてもよいので有利である。
【０００８】
さらに有利には、入力手段がマイクロフォンとして構成される。それによりドライバは、本発明による装置をファイルされている状態に置換えるための、マニュアル操作の必要がなくなる。その場合本発明による装置は、マイクロフォンを有し、相応の音声評価が、マイクロフォンに対応付けられたプロセッサかまたは本発明による装置のメインプロセッサにおいて実施される。
【０００９】
さらに有利には、ドライバが入力手段によって自身で選択できる少なくとも１つの選択手段に到達する状態が提供される。ここで第１の選択手段とは、サービスデータ受信の再開であり、第２の選択手段は、事前に利用したサービスの再開であり、第３の選択手段は、サービスプロバイダの選択されたポータルへの帰還であり、第４の選択手段は、装置の新規スタートである。
【００１０】
その際特に有利には、ポータルが装置内に既にファイルされているかまたはユーザーによってファイル可能である。
【００１１】
さらに有利には、新規スタートがソフトウエア上で実施可能である。つまりソフトウエアが新たにスタートされる。また最悪のケースでは、この新規スタートがハードウエア上で実施されてもよい。それにより装置全体が再度新たにスタートされる。
【００１２】
最後に有利には、ドライバが所定の長さの時間だけキーをプッシュした場合には、ドライバがキーを短くプッシュした場合とは異なる別の状態が選択可能である。例えば、短いプッシュによればポータルへの帰還が引き起こされ、比較的長いプッシュによれば、本発明による装置の新たなスタートが引き起こされる。
【００１３】
【実施例】
次に本発明を図面に基づき以下の明細書で詳細に説明する。
【００１４】
自動車において常に増加し続けるインフォテインメントコンポーネント関連の益々の集積化とそれに伴うインターネット拠点に対応するための自動車の開発によって、ソフトウエアベースシステムの違いも既に問題となりつつある。そのような問題とは、ユーザーがもはや慣用的な操作だけでは回避できないような状況であり、例えばソフトウエアのフリーズやオペレーティングシステムの障害などである。また複雑なサービスシステムによってもユーザーが提供サービスにおいて迷い込む状況に陥りやすい。本発明によれば、そのような状況においても、ファイルされている状態へのリターンが可能で、それによって装置を再び最適に利用できる、自動車におけるデータ受信装置が提案されている。
【００１５】
自動車におけるそのようなデータ受信は、様々な無線伝送系によって実施が可能である。特に広帯域なディジタル放送システムは、これに対して特に適している。それに対してはＤＡＢ（Digital Audio Broadcasting）、ＤＶＢ（Digital Radio Mondial）が挙げられ、これらはその広帯域性とデータ構造に基づいて、本来のオーディオサービスの他にも自動車で表示可能なマルチメディアデータの伝送が可能である。そのようなデータには、特にインターネットホームページ、ビデオデータストリーム、画像情報、グラフィック情報、テキスト情報、アニメーション情報が含まれる。この場合そのようなデータタイプは、インターネットホームページとして他のファイルでも転送可能である。そのような広帯域なディジタル放送伝送方式は、衛星支援も可能である。
【００１６】
そのようなマルチメディアデータの伝送に対しては、放送方式の他にも移動無線方式が適している。ここでは、双方向の伝送方式、例えばＧＳＭ（Global system for Mobile Communication）、ＵＭＴＳ（Universal Mobile Telecommunication System）、または局所的に限定された無線ベースのローカルネットワーク（これは“Bluetooth”または他のローカルネットワーク例えばＬＡＮ（Local Area Network）をベースとする。この両方向無線伝送システムは、特に所期のデータ読出しが可能であるという利点を有している。さらなる改善例によれば、データを広帯域ディジタル放送伝送方式を介して受信する目的で、広帯域ディジタル放送伝送方式を双方向無線伝送方式と組合わせることも可能である。それに対して双方向無線伝送方式は、データの読出しのためにのみ利用される。このことは次のような利点につながる。すなわち呼出し（これは一般的には非常に短いメッセージを表わしている）が、狭帯域の双方向無線伝送方式を介して送信され、それに対して有効データ（これは純粋なデータ問合せよりもはるかに大量なデータ量を表わす）は、大抵は受信にコストのかからないディジタル放送伝送方式を介して伝送される。
【００１７】
図１には、本発明による装置がブロック回路図で示されている。入力装置１はキー２と、マイクロフォン１０と、赤外線送信装置１１を有している。この赤外線の代わりに、“Bluetooth”などの近距離用無線伝送システムも可能である。データ入/出力側を介して入力装置１はプロセッサ３に接続されている。このプロセッサ３は、第２の入/出力側を介してメモリ２４に接続されている。データ入力側を介してプロセッサ３は、高周波受信局４に接続される。プロセッサ３は第１のデータ出力側を介して信号処理回路６に接続されている。またこのプロセッサ３は、アナログ出力側を介してオーディオアンプ８に接続されている。
【００１８】
高周波受信局４の入力側にはアンテナ５が接続されている。信号処理回路６のデータ出力側は、ディスプレイ７に接続されている。この信号処理回路６がディジタル/アナログ変換器で実施されている限り、この出力側は代替的にアナログ出力側であってもよい。オーディオアンプ８の出力側は、スピーカ９に接続されている。自由空間としての赤外線伝送区間を介して、送/受信装置１１は、遠隔操作部１２と接続される。この遠隔操作部１２は、入力フィールド１３を有している。
【００１９】
入力装置１においては、ユーザーによって、マイクロフォン１０によって受入れられる音声コマンドかまたはキー２ないし遠隔操作部１２の入力フィールド１３を介して行われるマニュアル入力を介して入力が行われる。この入力情報が入力装置１からプロセッサ３に伝送される。この入力に依存してプロセッサ３はデータを再生のためにディスプレイ７もしくはスピーカ９に転送する。また本発明による装置ではデータがアンテナ５と高周波受信局４（これは広帯域ディジタル放送信号の受信用（例えばＤＡＢ）に設計されている）を介して受信される。その際この高周波受信局４は、受信信号のフィルタリング、増幅、ミキシングを実施する。その後でディジタルデータは、高周波受信局４からプロセッサ３に転送され、プロセッサ３は受信データの復号化と変換を行う。これらのデータは、場合によってはメモリ２４にファイルされるかまたは直ちにディスプレイ７もしくはスピーカ９を用いて再生される。プロセッサ３がデータを信号処理回路６に伝送すると、信号処理回路６はこのデータをディスプレイ７のために準備する。あるいはプロセッサ３は再生のためにオーディオアンプにデータを供給する。アナログデータとして既にプロセッサ３からオーディオアンプ８に伝送されたオーディオデータは、スピーカ９による再生のためにオーディオアンプによって増幅されるのみである。その際プロセッサ３には、デジタル/アナログ変換器が対応付けられており、それによってプロセッサ３はディジタルオーディオデータからアナログオーディオデータを変換することが可能である。
【００２０】
高周波受信局４は、例えば双方向無線伝送方式を介してデータを遠くの中央サーバーから直接呼び出すべく送/受信局として作動するように改善されてもよい。また放送受信機と移動無線ボックスの組合せもここでは可能である。
【００２１】
ここにおいて、本発明による装置のユーザーがデータサービスの提供において、継続動作のやり方がわからなくなった場合には、ユーザーはキー２または遠隔操作部１２にの入力フィールド１３を操作するか、もしくはマイクロフォン１０を介して受入れられる特別な音声コマンドを発すれば、本発明による装置は、前もってファイルされている状態にリターンできる。このファイルされている状態はメモリ２４内にファイルされており、入力装置１における相応の入力手段の操作のもとで、プロセッサ３によってメモリ２４からローディングされる。この状態は、データサービスプロバイダのポータルへのリターンかもしくは新規スタートかまたはデータサービスの再導入である。
【００２２】
図２には、このリターンがどのようにおこなわれるかがフローチャートで示されている。方法ステップ１４では、提供サービスにおいて迷い込みが生じているかどうか、もしくはエラーが発生しているか否か（例えばオペレーションシステムの障害やアプリケーションのフリーズ、あるいはデータ受信時のエラーなど）が検出される。方法ステップ１５では、最後に利用された選択サービスのデータ受信が再び受入れ可能かどうかが検査される。受入れ可能な場合には、方法ステップ１６においてこのデータサービスが再び受入れられる。受入れ不能な場合には、方法ステップ１７において、データ受信の実施が可能であった事前に利用されたサービスが再び受入れられるべきか否かが検査される。受入れるべき場合には、方法ステップ１８においてこの事前に利用されていたサービスが再び受入れられる。前記ステップ１７において受入れるべきでない場合には、方法ステップ１９において、ユーザーに再び所定のデータの選択を可能にさせるためにサービスプロバイダの選択されたポータルへのリターンが行われるべきか否かが検査される。リターンが行われるべき場合には、方法ステップ２０において当該ポータルへのリターンが行われる。リターンが行われるべきでない場合には、方法ステップ２１においてどのような種類の新規スタートが必要であるかが検査される。特にこの方法ステップ２１では、ソフトウエア−新規スタートの選択の有無が検査される。イエスの場合には、方法ステップ２２においてこのソフトウエアが新たにスタートされる。ノーの場合には方法ステップ２３において装置全体の新規スタート、すなわちリセットが行われる。
【００２３】
前述してきた選択手段は、ユーザーによって制御ないしは選択が可能である。それに対してユーザーは入力装置１を利用する。またここでは、これまでに示した４つの選択手段のうちの１つのみまたは２つのみまたは３つのみを本発明に従って実施するようにすることも可能である。例えば装置の新規スタートのみが行われるものであってもよいし、新規スタートと提供サービスポータルへのリターンのどちらかが選択されるものであってもよい。
【００２４】
図３には、第２のフローチャートが示されており、ここではキー操作の継続時間の違いによって様々な状態に達する様子が表わされている。方法ステップ２５では、キーがプッシュされる。方法ステップ２６では、キー２が予め定めた時間までに再び離されたかどうかが検査される。離された場合には、方法ステップ２７において第１の選択手段、例えばポータルへのリターンが実施される。方法ステップ２６においてキー２が所定の時間までに再び離されなかったことが検出された場合には、キー２がさらにプッシュされ、本発明による装置の新規スタートがユーザーによって選択される。この入力装置はそれに対して相応の手段、例えばキープッシュ継続時間を評価するためのカウンタを有している。
【００２５】
また異なる音声コマンドによってそのような種々の状態に達するようになされてもよい。例えば音声コマンド“新規スタート”によって、装置の新規スタートが実行されるようにしてもよい。ユーザーが音声コマンド“ホーム”を発すると、事前にファイルされていたサービスプロバイダのポータルへリターンされる。本発明による装置は次のようなことを可能にしている。すなわち、ドライバが最も簡単な命令によって本発明による装置を再び、ファイルされていた状態にリターンできるようにしている。
【図面の簡単な説明】
【図１】本発明による装置のブロック回路図である。
【図２】本発明による装置の動作形態を示す第１のフローチャートである。
【図３】本発明による装置の動作形態を示す第２のフローチャートである。
【符号の説明】
１      入力装置
２      キー
３      プロセッサ
４      高周波受信局
５      アンテナ
６      信号処理回路
７      ディスプレイ
８      オーディオアンプ
９      スピーカ
１０    マイクロフォン
１１    赤外線装置
１２    遠隔操作部
１３    入力フィールド
２４    メモリ
【図１】
0004041309.tif 000002
【図２】
0004041309.tif 000003
【図３】
0004041309.tif 000004